(57)【要約】    【課題】  本発明は、取付けおよび取外しが容易なカフリンクの提供を課題としている。    【解決手段】  本発明に係るカフリンクは、カフスホールに挿入するのに適した細長い中央部分（１）と、中央部分（１）の第１端部から前記中央部分（１）の長手方向軸線に対して横方向に延びる第１端部部分（２）と、中央部分（１）の第２端部から前記中央部分（１）の長手方向軸線に対して横方向に延びる第２端部部分（３）とを備え、第１端部部分（２）および第２端部部分（３）の少なくとも一方に結合され、かつ伸展されたロック位置と引き込められた解除位置とを有する可動ロック部材（２０、３０、２３、３３）を備え、この可動ロック部材（２０、３０、２３、３３）は、ロック位置で中央部分（１）の対応する端部を超えて第１端部部分（２）および第２端部部分（３）から突出するか又は回転する。    【選択図】  図１
2008531168.tif 000002
【特許請求の範囲】
【請求項１】
カフスホールに挿入するのに適した細長い中央部分（１）と、  前記中央部分（１）の第１端部から前記中央部分（１）の長手方向軸線に対して横方向に延びる第１端部部分（２）と、
前記中央部分（１）の第２端部から前記中央部分（１）の長手方向軸線に対して横方向に延びる第２端部部分（３）とを備え、
前記第１端部部分（２）および前記第２端部部分（３）の少なくとも１つが結合され、かつ伸展されたロック位置と引き込まれた解除位置とを有する可動ロック部材（２０、３０、２３、３３）を備え、
前記可動ロック部材（２０、３０、２３、３３）は、ロック位置で前記中央部分（１）の対応する端部を超えて前記第１端部部分（２）および前記第２端部部分（３）から突出するか、または回転することを特徴とするカフリンク。
【請求項２】
前記第１端部部分（２）および前記第２端部部分（３）は、双方が前記可動ロック部材（２０、３０、２３、３３）を備えることを特徴とする請求項１記載のカフリンク。
【請求項３】
前記第１端部部分（２）および前記第２端部部分（３）は、２つの前記可動ロック部材（２０、３０、２３、３３）がそれぞれ解除位置にあるときに、前記カフリンクがＺ状形状を成すように配置されることを特徴とする請求項２記載のカフリンク。
【請求項４】
前記第１端部部分（２）および前記第２端部部分（３）は、２つの前記可動ロック部材（２０、３０、２３、３３）がそれぞれロック位置にあるときに、前記カフリンクがＨ状形状を成すように配置されることを特徴とする請求項２記載のカフリンク。
【請求項５】
前記可動ロック部材（２３、３３）の１つのみを作動することにより、これらの可動ロック部材（２３、３３）の双方を同時にロックあるいは解除できるように、双方の可動ロック部材（２３、３３）を結合する伝達機構（１０、１２、１３）をさらに備えることを特徴とする請求項２〜請求項４の何れか１つに記載のカフリンク。
【請求項６】
前記可動ロック部材（２０、３０）は、前記第１端部部分（２）および前記第２端部部分（３）の溝（２１、３１）を通して延びるピン（２００、３００）を備え、前記溝（２１、３１）は、前記第１端部部分（２）および前記第２端部部分（３）の内側に配置されたばねで作動される前記可動ロック部材（２０、３０）の移動幅を制御および制限するように構成されていることを特徴とする請求項２〜請求項４の何れか１つに記載のカフリンク。
【請求項７】
前記溝（２１、３１）は、前記可動ロック部材（２０、３０）に結合されたピンを保持し、これにより前記可動ロック部材（２０、３０）をそれぞれ引き込み位置に保持するフックを備えることを特徴とする請求項６記載のカフリンク。
【発明の詳細な説明】
【技術分野】
【０００１】
本発明は、ワイシャツの袖口に装着されるカフリンクに関し、詳しくは細長い中央部分と２つの端部部分とを備え、少なくとも１つの端部部分が可動ロック部材を有するカフリンクに関するものである。
【背景技術】
【０００２】
フォーマルアクセサリーの１つであるカフリンクは、既に種々の刊行物に記載されている。  
【０００３】
米国意匠特許４７９，４８８号には、中央部分の両端に回転可能に結合された細長い部分を備えるカフリンクのための装飾的なデザインについて開示されており、上記カフリンクの中央部分はカフスホールに挿入されるようになっており、一方、細長い部分は袖口を保持するために９０度回転されるようになっている。
【発明の開示】
【発明が解決しようとする課題】
【０００４】
ところで、上述した従来のカフリンクの主な欠点は、カフリンクの取付け、および取外しが困難なことであり、特に、両手を使用しなければ取付けることが困難であるとも考えられる。
本発明の目的は、上記実情に鑑みて、取付けおよび取外しが容易なカフリンクを提供することである。
【課題を解決するための手段】
【０００５】
本発明の目的は、請求項１に記載のカフリンクによって達成される。  
【０００６】
すなわち、上記カフリンクは、カフスホールに挿入するのに適した細長い中央部分を備える。  
【０００７】
また、中央部分の第１端部から中央部分の長手方向軸線に対して横方向に延びる第１端部部分と、中央部分の第２端部から中央部分の長手軸線方向に対して横方向に延びる第２端部部分とを備える。  
【０００８】
さらに、第１端部部材および第２端部部分の少なくとも１つは、これに結合され且つ伸展されたロック位置と引き込められた解除位置とを有する可動ロック部材を備える。  
【０００９】
このロック部材は、ロック位置で中央部分の対応する端部を超えて第１端部部材および第２端部部分から突出するか又は回転するよう構成されている。  
【００１０】
本発明は、添付図面を参照する好ましい実施形態の以下の詳細な説明により、よりよく理解されるであろう。
【発明の効果】
【００１１】
本発明に係わるカフリンクにおいては、カフスホールに挿入される中央部分から横方向に延びる第１端部部材および第２端部部分の少なくとも一方に、伸展されたロック位置と引き込められた解除位置とを移動する可動ロック部材を備えることにより、ワイシャツの袖口に対するカフスリンクの取付け、および取外しが容易なものとなる。
【発明を実施するための詳細な説明】
【００１２】
図１〜図４に示す好ましい第１の実施形態によると、本発明のカフリンクは、カフスホールに挿入されるように構成された、好ましくは細長い中央部分（１）を備える。  
【００１３】
この中央部分（１）の第１端部および第２端部は、好ましくは細長い第１端部部分（２）と、好ましくは細長い第２端部部分（３）とを備える。  
【００１４】
上記第１端部部分（２）および第２端部部分（３）は、それぞれ中央部分（１）の第１端部および第２端部から、上記中央部分（１）の長手方向軸線に対して横方向に延びる。
上記第１端部部分（２）および第２端部部分（３）は、上記中央部分（１）と共にＺ状形状を成すように、中央部分（１）の第１端部および第２端部から反対方向に延びる。
【００１５】
図１〜図３に示すように、上記第１端部部分（２）および第２端部部分（３）は、カフリンクが解除位置にあるときに、上記第１端部部分（２）および第２端部部分（３）内の引き込み位置にある可動ロック部材（２０、３０）を備える。  この可動ロック部材（２０、３０）は、カフリンクがロック位置にあるときに、中央部分（１）の対応する端部を超えて、上記第１端部部分（２）および第２端部部分（３）から突出し、上記中央部分（１）と共にＨ状形状を成す。  
【００１６】
この可動ロック部材（２０、３０）は、カフリンクの第１端部部分（２）および第２端部部分（３）に配置されるハウジング（図示せず）の内側に装着される。  
【００１７】
上記可動ロック部材（２０、３０）は、その弾力が可動ロック部材（２０、３０）を伸展位置に付勢するように上記ハウジング内に配置されたばね（図示せず）の力で作動される。  
【００１８】
この可動ロック部材（２０、３０）は、該可動ロック部材（２０、３０）の動きを制御して、移動幅を制限するために、第１端部部分（２）および第２端部部分（３）内の溝（２１、３１）を介して延びるピン（２００、３００）を備えている。
【００１９】
上記溝（２１、３１）の一部は、フック形状の凹部（３５）を有し、可動ロック部材（２０、３０）を引き込み位置に保持するために、上記凹部（３５）内に上記ピン（２００、３００）を配置することができる。
【００２０】
したがって、可動ロック部材（２０、３０）を押して、上記凹部（３５）からピン（２００、３００）を解放し、可動ロック部材を溝（２１、３１）に沿って摺動できるようにすることで、カフリンクをロックさせることができる。  
【００２１】
ばね（図示せず）は、ピン（２００、３００）が溝（２１、３１）の端部で停止されるまで、第１端部部分（２）および第２端部部分（３）から可動ロック部材（２０、３０）を押し出す。
【００２２】
ピン（２００、３００）が溝（２１、３１）の凹部（３５）に係合するまで、第１端部部分（２）および第２端部部分（３）の内側に配置されたばねの力に対して可動ロック部材（２０、３０）の端部を押圧することにより、このカフリンクを解除することができる。
【００２３】
本発明のカフリンクをカフスホールに挿入するためには、第１端部部分（２）および第２端部部分（３）の少なくとも一方の端部部材がその解除位置に配置される。  
【００２４】
この端部部材は、中央部分（１）が袖口に当接するまで、カフスホールに挿入される。  
【００２５】
この後、カフリンクを僅かに回し、中央部分（１）がカフスホール内に正確に挿入されるまで、さらにカフスホールに挿入する。  
【００２６】
可動ロック部材（２０、３０）が押圧されてカフリンクがロックされる。
【００２７】
この実施形態の変形例では、カフリンクの第１端部部分（２）および第２端部部分（３）の一方の端部部材のみが可動ロック部材（２０、３０）を備える。
【００２８】
本発明の第２の実施形態では、図６〜図８に示すように、カフリンクの第１端部部分（２）および第２端部部分（３）は、固定部材（２２、３２）と可動ロック部材（２３、３３）とから形成されている。
【００２９】
上記固定部材（２２、３２）は、中央部分（１）に固定して結合され、それぞれ中央部分（１）の第１端部および第２端部から、上記中央部分（１）の長手方向軸線に対して横方向に延びる。  
【００３０】
上記固定部材（２２、３２）は、中央部分（１）と共に、Ｚ状形状を成すように配置される。
【００３１】
可動ロック部材（２３、３３）は、解除位置で上記固定部材（２２、３２）の頂部に載置されるように、中央部分（１）に回転可能に結合される。  
【００３２】
上記可動ロック部材（２３、３３）は、カフリンクをロックするために、中央部分（１）の対応する端部の他側上で伸展できるように、回転軸線（５０）の回りを回転される。
【００３３】
第２の実施形態の変形例では、カフリンクは、上記可動ロック部材（２３、３３）の一方が回転されたときに、他方も移動して同じ位置（図１２）となるように、双方の可動ロック部材（２３、３３）を結合する伝達機構（１０、１２、１３）をさらに備える。  
【００３４】
したがって、双方の可動ロック部材（２３、３３）は、１つの動作のみで、かつカフリンクの一側からのみで、ロックあるいはロック解除することができ、したがって、このカフリンクを使用することが極めて容易となる。
【００３５】
本発明の第２の実施形態の他の変形例によると、可動ロック部材（２３、３３）の回転軸線は、図９〜図１１に示すように、カフリンクの中央部分（１）の長手方向軸線に一致している。
【００３６】
本発明について、特定の実施形態を参照して説明したが、この説明は制限的な意味で解釈されることを意図したものではない。  
【００３７】
添付の特許請求の範囲で規定される本発明の範囲から逸脱することなく、本発明の種々の変更も検討することが可能である。
【００３８】
【図面の簡単な説明】
【００３９】
【図１】双方の可動ロック部材が解除位置でそれぞれ引き込まれた位置にあるときの本発明の第１の実施形態によるカフリンクの正面図。
【図２】一方の可動ロック部材が伸展位置にあるときの図１の正面図。
【図３】双方の可動ロック部材がロック位置でそれぞれ伸展位置にあるときの本発明の第１の実施形態の正面図。
【図４】カフスホールに挿入した後のカフリンクの引き込み位置における正面図。
【図５】カフスホールに挿入した後のカフリンクの伸展位置における正面図。
【図６】本発明の第２の実施形態によるカフリンクの解除位置で双方の可動ロック部材を引き込み位置にしたときの正面図。
【図７】本発明の第２の実施形態によるカフリンクの一方の可動ロック部材を伸展位置にしたときの正面図。
【図８】双方の可動ロック部材をロック位置で伸展位置に配置したときのカフリンクの正面図。
【図９】本発明の第３の実施形態によるカフリンクの双方の可動ロック部材が解除位置でそれぞれ引き込み位置にあるときの正面図。
【図１０】本発明の第３の実施形態によるカフリンクの一方の可動ロック部材がその伸展位置にあるときの正面図。
【図１１】双方の可動ロック部材がロック位置でそれぞれ伸展位置にあるときのカフリンクの正面図。
【図１２】本発明の第２の実施形態の変形例におけるカフリンクの正面図。
【符号の説明】
【００４０】
１…中央部分、
２…第１端部部分、
３…第２端部部分、
１０、１２、１３…伝達機構、
２０、３０、２３、３３…可動ロック部材、
２１、３１…溝。
【図１】
2008531168.tif 000003
【図２】
2008531168.tif 000004
【図３】
2008531168.tif 000005
【図４】
2008531168.tif 000006
【図５】
2008531168.tif 000007
【図６】
2008531168.tif 000008
【図７】
2008531168.tif 000009
【図８】
2008531168.tif 000010
【図９】
2008531168.tif 000011
【図１０】
2008531168.tif 000012
【図１１】
2008531168.tif 000013
【図１２】
2008531168.tif 000014
【国際調査報告】
2008531168.tif 000015
2008531168.tif 000016
2008531168.tif 000017